(57)【特許請求の範囲】
【請求項１】
透光性の基板の表面に所定の第一の模様をなす第一の微細凹凸部が形成され、前記基板の裏面に所定の第一の色調である第一の地色層が形成されてなる第一の領域と、
前記基板の表面に前記第一の模様と異なる第二の模様をなす第二の微細凹凸部が形成され、前記基板の裏面に前記第一の色調と異なる第二の色調である第二の地色層が形成されてなるリング状の第二の領域と、を備えてなることを特徴とする計器用表示板。
【請求項２】
前記基板の表面の前記第一の微細凹凸部と前記第二の微細凹凸部との間に前記第一，第二の微細凹凸部よりも平滑である平滑部が設けられてなることを特徴とする請求項１に記載の計器用表示板。
【請求項３】
前記第二の領域において前記基板の表面に所定の意匠をなす凸部が設けられてなることを特徴とする請求項１に記載の計器用表示板。
【発明の詳細な説明】
【技術分野】
【０００１】
本発明は、計器用表示板に関する。
【背景技術】
【０００２】
従来の計器用表示板として、例えば下記特許文献１に開示されるものがある。
特許文献１に開示された計器用表示板は、図柄としての凹凸部が形成された転写型の転写面に紫外線硬化樹脂を配置し、前記紫外線硬化樹脂の、前記転写面とは反対側に、前記紫外線硬化樹脂と当接するように樹脂シートの第１面を配置し、前記第１面とは反対側の第２面側から紫外線を照射して前記紫外線硬化樹脂を硬化させるとともに、硬化した前記紫外線硬化樹脂とともに前記樹脂シートを前記転写型から剥離させることによって、得られるものである。
かかる製造方法によって得られる計器用表示板は、例えば同心円状の微細凹凸を図柄として形成することで、樹脂によって形成されながらもヘアライン加工が施された金属板のような質感や見栄え（以下、金属調ともいう）を得ることができる。また、かかる計器用表示板は、前記樹脂シートの前記第２面側に車両情報を表す指標部に対応して開口部が設けられた暗色系の遮光層（地色層）を設け、前記第２面側に光源を配置することによって、指標部を透過照明することができる。
【先行技術文献】
【特許文献】
【０００３】
【特許文献１】特開２０１４−３０９９４号公報
【発明の概要】
【発明が解決しようとする課題】
【０００４】
しかしながら、特許文献１に開示される計器用表示板は、微細凹凸が単調であると平坦な見栄えとなり、意匠の立体感の演出については、改善の余地がある。例えば、計器用表示板に背景部分と色の異なるリング状意匠を形成する場合、計器用表示板に形成される微細凹凸が単調であると、リング状意匠と背景部分との間で見栄えの変化が色の切り替えのみであり、リング状意匠の立体感の演出が十分でない。
【０００５】
本発明は上記実情に鑑みてなされたものであり、より立体感を高めて表示可能な計器用表示板を提供することを目的とする。
【課題を解決するための手段】
【０００６】
本発明の計器用表示板は、前述の課題を解決するために、透光性の基板の表面に所定の第一の模様をなす第一の微細凹凸部が形成され、前記基板の裏面に所定の第一の色調である第一の地色層が形成されてなる第一の領域と、
前記基板の表面に前記第一の模様と異なる第二の模様をなす第二の微細凹凸部が形成され、前記基板の裏面に前記第一の色調と異なる第二の色調である第二の地色層が形成されてなるリング状の第二の領域と、を備えてなることを特徴とする。
【発明の効果】
【０００７】
本発明によれば、より立体感を高めて表示可能な計器用表示板を提供することができる。
【図面の簡単な説明】
【０００８】
【図１】本発明の実施形態である車両用計器の正面図である。
【図２】図１中のＸ−Ｘ線断面図である。
【図３】（ａ）図１中のＸ−Ｘ線拡大断面図であり、（ｂ）図１中のＹ−Ｙ線拡大断面図である。
【図４】図１中の部分Ｚの拡大図である。
【図５】本発明の変形例を示す断面図である。
【発明を実施するための形態】
【０００９】
以下、本発明の計器用表示板をいわゆる後付け用の車両用計器に適用した一実施形態について、図面を参照して説明する。なお、以下の説明では、表示板（計器用表示板）１１２を正面視したときの（ユーザが表示板１１２を正面から見て車両情報（アナログ表示部１１０）を確認する場合の）視認側を「表」とし、背面側を「裏」とする。
【００１０】
本実施形態における表示板１１２は、コンビネーションメータとは別に後付けされる車両用計器１００に組み込まれるものである。そのため、まず、車両用計器１００の概略構成を説明した後で、表示板１１２について詳細に説明する。
【００１１】
図１は車両用計器１００を示す正面図であり、図２は車両用計器１００を示すＸ−Ｘ線断面図である。車両用計器１００は、アナログ表示部１１０と、ケース体１２０と、前面カバー１３０と、見返し部材１４０と、第一の光源１５０と、第二の光源１６０と、導光部材１７０と、拡散板１８０と、回路基板１９０と、から主に構成される。
【００１２】
アナログ表示部１１０は、指針１１１と表示板１１２に形成される指標部１１４との対比判読によって車両情報を表示するものである。アナログ表示部１１０は、ケース体１２０内に収納され、指針１１１及び表示板１１２が開口部１２３から露出するように配置されている。車両用計器１００は、前記車両情報として、吸気圧（過給圧）を表示するいわゆるターボ計であり、アナログ表示部１１０は、吸気圧を−１００ｋＰ〜＋２００ｋＰａまでの範囲で表示可能となっている。
【００１３】
指針１１１は、透過性の樹脂材料からなる指示部１１１ａと、回転駆動部材であるステッピングモータ１１３に設けられる回転軸１１３ａに固定される指針基部１１１ｂと、指針基部１１１ｂの前面を覆う遮光部材であり黒色の合成樹脂材料からなる指針キャップ１１１ｃと、を有する。なお、指示部１１１ａの背面側は赤色の箔がホットスタンプされている。指針１１１は、ステッピングモータ１１３の回転駆動に伴って表示板１１２上を回動し、表示板１１２に形成される指標部１１４の主目盛部１１４ａ，第一の副目盛部１１４ｂあるいは第二の副目盛部１１４ｃの各目盛を指示部１１１ａによって指示するものである。また、指針１１１は、ケース体１２０内に配設される第一の光源１５０からの第一の照明光Ｌ１が透過することで所定の色にて照明される。
【００１４】
ケース体１２０は、例えばアルミ等の金属材料からなる略円筒状の後ケース１２１と、シルバー色の不透過性の合成樹脂材料などからなるリング状の前ケース１２２と、から主に構成され、車両用計器１００を構成する各種部材を収納するものである。ケース体１２０は、表側にアナログ表示部１１０を露出させる開口部１２３を有する。また、ケース体１２０内には、第一，第二の光源１５０，１６０のそれぞれの照明領域を区切る仕切り壁１２４が設けられている。
【００１５】
前面カバー１３０は、例えば透過性の合成樹脂材料からなる板状の部材であり、後ケース１２１と前ケース１２２との間にケース体１２０の開口部１２３を覆うように配設される。
【００１６】
見返し部材１４０は、例えば黒色などの不透過性の合成樹脂材料からなるリング状の部材であり、後ケース１２１と前面カバー１３０との間にアナログ表示部１１０を囲むように配設される。
【００１７】
第一の光源１５０は、例えばＬＥＤ（Light  Emitting  Diode）からなり、表示板１１２の裏側に複数配設されて指針１１１を照明する第一の照明光Ｌ１を発するものである。なお、本実施形態においては第一の照明光Ｌ１は赤色の発光色を示す。
【００１８】
第二の光源１６０は、例えばＬＥＤからなり、表示板１１２の裏側に複数配設され表示板１１２を照明する第二の照明光Ｌ２を発するものである。なお、本実施形態においては第二の光源１６０は、例えば白色の発光色を示し表示板１１２の指標部１１４を照明する白色ＬＥＤと、例えば青色の発光色を示し表示板１１２のピーク表示部１１５を照明する青色ＬＥＤと、例えば赤色の発光色を示し表示板１１２のワーニング表示部１１６を照明する赤色ＬＥＤと、を含む。各色ＬＥＤは、ケース体１２０の仕切り壁１２４によってそれぞれの照明領域が区切られている。
【００１９】
導光部材１７０は、ポリカーボネイトやアクリル等の透過性の合成樹脂材料からなる透過性部材であり、ケース体１２０内に指針１１１と第一の光源１５０との間に位置するように配設される。導光部材１７０は、中央部分に指針１１１の指針基部１１１ｂ及びステッピングモータ１１３の回転軸１１３ａが貫通する貫通孔１７１を有する。導光部材１７０は、第一の光源１５０の第一の照明光Ｌ１を指針１１１に導くものであり、第一の照明光Ｌ１を入射する入射部１７２と、第一の照明光Ｌ１を指針１１１に向けて出射する出射部１７３と、を有する。第一の照明光Ｌ１は、入射部１７２に入射されると出射部１７３を介して指針１１１に入射し、指示部１１１ａを透過照明する。なお、入射部１７２は、第一の光源１５０からの第一の照明光Ｌ１を効率よく入射できるよう、その断面形状が半円の凸状となっている。
【００２０】
拡散板１８０は、表示板１１２と第二の光源１６０との間に配設され、表示板１１２に向けて出射される第二の光源１６０の第二の照明光Ｌ２を表示板１１２の面方向に拡散させる拡散部材である。第二の照明光Ｌ２は、拡散板１８０を介して表示板１１２に向けて出射され、表示板１１２を透過照明する。なお、表示板１１２は図示しない接着層を介して拡散板１８０に接着されている。拡散板１８０は、中央部分に指針１１１の指針基部１１１ｂ及びステッピングモータ１１３の回転軸１１３ａが貫通する貫通孔を有する。
【００２１】
回路基板１９０は、例えばガラスエポキシ樹脂からなる絶縁性の板状の基材に各種配線がプリント形成されてなる。回路基板１９０には、ステッピングモータ１１３，第一の光源１５０及び第二の光源１６０のほか、これらの動作を制御する制御部（図示しない）が実装される。回路基板１９０は、車両のバッテリー電源と接続され、前記制御部は、例えば車両のキースイッチのオン操作に伴って電源が供給されて動作を開始する。前記制御部は、車両側から取得した車両情報に基づいてステッピングモータ１１３を回転駆動させ、また、第一、第二の光源１５０、１６０を点灯あるいは消灯させる。なお、車両情報の取得方法は公知のあらゆる方法を用いることができる。例えば、車両用計器１００は、車両側に取り付けられ車両情報を検出する各種センサ等と接続されて車両情報を取得してもよいし、複数種類の車両情報データを求めるコントロールユニットにより生成され複数種類の車両情報データを含むシリアルデータを受信して車両情報を取得してもよい。さらに、車両側に設けられる車両診断コネクタを介して車両情報を取得してもよい。
【００２２】
表示板１１２は、主目盛部１１４ａ，第一の副目盛部１１４ｂ，第二の副目盛部１１４ｃ及び文字部１１４ｄからなる指標部１１４と、ピーク表示部１１５と、ワーニング表示部１１６と、が形成された板状の部材である。表示板１１２の表示面（表面）は、指針１１１の回転中心（回転軸１１３ａ）を中心とした円状の中央領域（第一の領域の一例）Ａ１と、中央領域Ａ１の外周を囲むリング状領域（第二の領域の一例）Ａ２と、を有する。中央領域Ａ１には、文字部１１４ｄの一部，ピーク表示部１１５及びワーニング表示部１１６が形成され、リング状領域Ａ２には、主目盛部１１４ａ，第一の副目盛部１１４ｂ，第二の副目盛部１１４ｃ及び文字部１１４ｄの一部が形成されている。表示板１１２は、中央部分に指針１１１の指針基部１１１ｂ及びステッピングモータ１１３の回転軸１１３ａが貫通する貫通孔を有する。
【００２３】
主目盛部１１４ａは、所定の値を示すように配置された複数の目盛からなる。具体的に、車両用計器１００の主目盛部１１４ａは、−１００ｋＰａ，−８０ｋＰａ，−６０ｋＰａ，−４０ｋＰａ，−２０ｋＰａ，０ｋＰａ，＋５０ｋＰａ，＋１００ｋＰａ，＋１５０ｋＰａ及び＋２００ｋＰａの数値を示す１０個の目盛である。主目盛部１１４ａは、最小目盛位置が時計目盛位置の６時の位置となり、また最大目盛位置が時計目盛位置の３時の位置となり、指針１１１の回転中心を中心とした約２７０°の円弧を描くようにマイナス（負圧）側は間隔が狭く、プラス（正圧）側は間隔がマイナス側よりも広くなる不均等なレイアウトで表示板１１２に配置されている。
【００２４】
第一の副目盛部１１４ｂは、主目盛部１１４ａの各目盛間の内側に配置された複数の目盛からなり、主目盛部１１４ａの各目盛よりも短く形成されている。具体的に、第一の副目盛部１１４ｂの各目盛は、主目盛部１１４ａの各目盛間にマイナス側にあっては１個ずつ、プラス側にあっては４個ずつ、すなわち１０ｋＰａ毎に配置されている。
【００２５】
第二の副目盛部１１４ｃは、主目盛部１１４ａの各目盛間の外側に配置された複数の目盛からなり、主目盛部１１４ａの各目盛よりも短く形成されている。具体的に、第二の副目盛部１１４ｃの各目盛は、主目盛部１１４ａの各目盛間にマイナス側にあっては７個ずつ、プラス側にあっては１９個ずつ、すなわち２．５ｋＰａ毎に配置されている。
【００２６】
文字部１１４ｄは、主目盛部１１４ａが示す数値（の一部）を表した数字や車両用計器１００の種別や表示単位を表す文字からなる。具体的に、車両用計器１００の文字部１１４ｄは、主目盛部１１４ａが示す数値を表した「０．８」，「０．６」，「０．４」，「０．２」，「０」，「０．５」，「１．０」，「１．５」及び「２．０」なる数字と、車両用計器１００の種別を示す「ＴＵＲＢＯ」なる文字と、表示単位を示す「×１００ｋＰａ」なる数字及び文字と、からなる。
【００２７】
ピーク表示部１１５は、車両用計器１００が示す車両情報の計測値が前記制御部に記憶される最大値となったことを点灯あるいは点滅によって報知するものである。
【００２８】
ワーニング表示部１１６は、車両用計器１００が示す車両情報の計測値が前記制御部に予め記憶される所定の警告値に達したことを点灯あるいは点滅によって報知するものである。
【００２９】
図３は、表示板１１２を示す拡大断面図であり、図３（ａ）は図１中のＸ−Ｘ線断面図であり、図３（ｂ）は図１中のＹ−Ｙ線断面図である。表示板１１２は、指針１１１の裏側に位置する。表示板１１２は、透過性の基板１１２ａの表面（図３における上面）に、主目盛部１１４ａ，ピーク表示部１１５及びワーニング表示部１１６となる個所に設けられる凸部１１２ｂと、ピーク表示部１１５及びワーニング表示部１１６を除く中央領域Ａ１となる個所に設けられる第一の微細凹凸部１１２ｃと、主目盛部１１４ａの除くリング状領域Ａ２となる個所に設けられる第二の微細凹凸部１１２ｄと、リング状領域Ａ２の中央領域Ａ１との境界部分（内側境界部分）となる個所及びリング状領域Ａ２のリング状領域Ａ２より外側の外縁領域Ａ３（図１では図示せず）との境界部分（外側境界部分）となる個所に設けられる平滑部１１２ｅと、を備えて構成される。また、表示板１１２は、基板１１２ａの裏面（図３における下面）に、中央領域Ａ１及び外縁領域Ａ３となる個所に設けられる第一の地色層１１２ｆと、リング状領域Ａ２となる個所に設けられる第二の地色層１１２ｇと、備えて構成される。
【００３０】
透過性の基板１１２ａは、例えばアクリル、ポリカーボネート樹脂からなる透明または着色された透光性の材料で構成される板状あるいはシート状の部材である。基板１１２ａは、車両用計器１００の外形に対応して、例えば図１に示すように、円板状に形成される。
【００３１】
凸部１１２ｂ，第一の微細凹凸部１１２ｃ，第二の微細凹凸部１１２ｄ及び平滑部１１２ｅは、例えば紫外線硬化樹脂層１１２ｉで構成され、例えば型成形される。型成形による場合、まず、凸部１１２ｂ，第一の微細凹凸部１１２ｃ，第二の微細凹凸部１１２ｄ及び平滑部１１２ｅに対応した形状（凹部，微細凹凸及び平面部）が形成された金型を用意する。次に、前記金型に紫外線硬化樹脂を充填し紫外線硬化樹脂層１１２ｉを形成する。次に、紫外線硬化樹脂層１１２ｉの前記金型側と反対側の面に基板１１２ａを配置する。次に、基板１１２ａ側から紫外線を照射して紫外線硬化樹脂層１１２ｉを硬化させる。次に、紫外線硬化樹脂層１１２ｉ及び基板１１２ａを前記金型から剥離させる。これにより、凸部１１２ｂ，第一の微細凹凸部１１２ｃ，第二の微細凹凸部１１２ｄ及び平滑部１１２ｅを得ることができる。なお、凸部１１２ｂ，第一の微細凹凸部１１２ｃ，第二の微細凹凸部１１２ｄ及び平滑部１１２ｅは樹脂材料による型成形のほか、インクによる印刷成形や基板１１２ａの表面を切削するなどによって形成してもよい。また、第一，第二の微細凹凸部１１２ｃ，１１２ｄの高さ（微細の程度）は任意であるが、視認者が見て凹凸であることを認識できない程度とすることが望ましい。
【００３２】
凸部１１２ｂは、前述のように、基板１１２ａの主目盛部１１４ａ，ピーク表示部１１５及びワーニング表示部１１６となる個所に第一，第二の微細凹凸部１１２ｃ，１１２ｄよりも表側に突出するように設けられる。凸部１１２ｂのうち、主目盛部１１４ａとなる個所に設けられる凸部１１２ｂの表面には、印刷やホットスタンプ等によって、透光性の着色層１１２ｈが設けられる。着色層１１２ｈは、任意の色調が選択される。例えば明度の高い白やシルバーによれば第二の光源１６０の非点灯時にも凸部１１２ｂの視認性を高めることができ、明度の低い黒やガンメタリックとすれば第二の光源１６０の非点灯時に凸部１１２ｂを視認されにくくできる。また、凸部１１２ｂの表面は、平滑化処理されてもよい。ここで、平滑化処理とは凸部１１２ｂの表面粗さを形成時よりも小さくする（表面を滑らかにする）処理をいう。平滑化処理の具体的手段としては、無色透明層の印刷形成や研磨処理が挙げられる。凸部１１２ｂの表面に平滑化処理を施すことによって、凸部１１２ｂの表面を光沢度の高い状態にでき、より立体感を強調することができる。また、凸部１１２ｂの透明度を上げることができるため透過照明の輝度を向上することができる。
【００３３】
第一の微細凹凸部１１２ｃは、前述のように、基板１１２ａの表面のピーク表示部１１５及びワーニング表示部１１６を除く中央領域Ａ１となる個所に設けられる。図４は図１における表示板１１２の部分Ｚの拡大図である。図４に示すように、第一の微細凹凸部１１２ｃは、指針１１１の回転中心を中心とした同心円状の模様（第一の模様の一例）をなす。第一の微細凹凸部１１２ｃによる第一の模様は、金属板に形成されるヘアラインを表現している金属調模様である。
【００３４】
第二の微細凹凸部１１２ｄは、前述のように、基板１１２ａの表面の主目盛部１１４ａの除くリング状領域Ａ２となる個所に設けられる。図４に示すように、第二の微細凹凸部１１２ｄは、指針１１１の回転中心を中心とした放射状（旭光状）の模様（第二の模様の一例）をなす。第二の微細凹凸部１１２ｄによる第二の模様は、金属板に形成されるヘアラインを表現している金属調模様である。また、第二の微細凹凸部１１２ｄは、第一の微細凹凸部１１２ｃがなす第一の模様（本実施形態では同心円状）とは異なる模様をなすように形成される。ここで「異なる模様」には、微細凹凸の方向が異なるほか、太さや間隔が異なる場合も含む。このように、表示板１１２において模様の異なる第一，第二の微細凹凸部１１２ｃ，１１２ｄを設けた効果については後で述べる。
【００３５】
平滑部１１２ｅは、前述のように、基板１１２ａの表面のリング状領域Ａ２の中央領域Ａ１との境界部分となる個所及びリング状領域Ａ２の外縁領域Ａ３との境界部分となる個所に設けられる。平滑部１１２ｅは、紫外線硬化樹脂層１１２ｉのうち微細凹凸が設けられていない部分であり、第一，第二の微細凹凸部１１２ｃ，１１２ｄよりも表面粗さが小さく（平滑な）、光沢のある部分である。本実施形態において平滑部１１２ｅは平面である。平滑部１１２ｅは、少なくとも第一の微細凹凸部１１２ｃと第二の微細凹凸部１１２ｄとの境界部分に設けられるものであればよく、中央領域Ａ１のリング状領域Ａ２との境界部分となる個所や中央領域Ａ１とリング状領域Ａ２とを跨ぐ境界部分となる個所に設けられてもよい。さらに、本発明の平滑部は、平面のほか、微細凹凸部が設けられていない部分であれば、傾斜面や曲面であってもよい。このように、平滑部１１２ｅを設けた効果については後で述べる。
【００３６】
第一の地色層１１２ｆは、任意の第一の色調の遮光性インクを基板１１２ａの裏面に印刷形成してなる。第一の地色層１１２ｆの第一の色調は、例えば明度の低い黒やガンメタリックである。第一の地色層１１２ｆは、前述のように、基板１１２ａの裏面の中央領域Ａ１及び外縁領域Ａ３となる個所に設けられる。また、第一の地色層１１２ｆは、文字部１１４ｄ，ピーク表示部１１５及びワーニング表示部１１６となる個所に対応して第一の開口部１１２ｊが形成されている。第一の開口部１１２ｊは、表側から見て文字部１１４ｄ，ピーク表示部１１５及びワーニング表示部１１６の意匠をなす形状に設けられており、第二の光源１６０からの第二の照明光Ｌ２が第一の開口部１１２ｊから紫外線硬化樹脂層１１２ｉを通過して表示板１１２の表面側から出射されることで、文字部１１４ｄ，ピーク表示部１１５及びワーニング表示部１１６が透過照明される。なお、第一の開口部１１２ｊに透光性の着色層や透明層を形成してもよい。中央領域Ａ１のうち文字部１１４ｄ，ピーク表示部１１５及びワーニング表示部１１６以外の部分（背景部分）は、第一の地色層１１２ｆの第一の色調が視認される。
【００３７】
第二の地色層１１２ｇは、第一の地色層１１２ｆとは色調の異なる遮光性インクを基板１１２ａの裏面に印刷形成してなる。第二の地色層１１２ｇの第二の色調は、第一の地色層１１２ｆの第一の色調と明度が異なることが望ましく、例えば明度の高いシルバーである。第二の地色層１１２ｇは、前述のように、表示板１１２の裏面のリング状領域Ａ２となる個所に設けられる。また、第二の地色層１１２ｇは、主目盛部１１４ａ，第一の副目盛部１１４ｂ，第二の副目盛部１１４ｃ及び文字部１１４ｄとなる個所に対応して第二の開口部１１２ｋが形成されている。第二の開口部１１２ｋは、表側から見て主目盛部１１４ａ，第一の副目盛部１１４ｂ，第二の副目盛部１１４ｃ及び文字部１１４ｄの意匠をなす形状に設けられており、第二の光源１６０からの第二の照明光Ｌ２が第二の開口部１１２ｋから紫外線硬化樹脂層１１２ｉを通過して表示板１１２の表面側から出射されることで、主目盛部１１４ａ，第一の副目盛部１１４ｂ，第二の副目盛部１１４ｃ及び文字部１１４ｄが透過照明される。なお、第二の開口部１１２ｋに透光性の着色層や透明層を形成してもよい。また、第二の開口部１１２ｋのうち、主目盛部１１４ａ（凸部１１２ｂ）に対応する第二の開口部１１２ｋは、主目盛部１１４ａの各目盛の短手方向において凸部１１２ｂの幅よりも幅が広く形成されており（図３（ｂ）参照）、透過照明の際に主目盛部１１４ａの輪郭が光輝して強調されるようになっている。リング状領域Ａ２のうち主目盛部１１４ａ，第一の副目盛部１１４ｂ，第二の副目盛部１１４ｃ及び文字部１１４ｄ以外の主な部分は、第二の地色層１１２ｇの第二の色調が視認される。
【００３８】
かかる表示板１１２の構造によれば、表示板１１２の表示領域のうち、中央領域Ａ１においては基板１１２ａの表面に第一の微細凹凸部１１２ｃが形成され、裏面に第一の地色層１１２ｆが形成される。一方で、リング状領域Ａ２においては基板１１２ａの表面に第二の微細凹凸部１１２ｄが形成され、裏面に第二の地色層１１２ｇが形成される。したがって、中央領域Ａ１とリング状領域Ａ２とは、互いに色調が異なり、かつ、表面に施される微細凹凸の模様が異なる。これにより、色調の変化に加えて、表面に照射される外光の反射の具合（表面の光り方）も異なるため、背景部分となる中央領域Ａ１とリング状意匠をなすリング状領域Ａ２とで、質感の変化を大きくすることができ、リング状意匠の立体感を高めることができる。
また、リング状領域Ａ２のうち、第一の微細凹凸部１１２ｃと第二の微細凹凸部１１２ｄとの間を含む平滑部１１２ｅが設けられた境界部分においては、第一，第二の微細凹凸部１１２ｃ，１１２ｄのいずれとも外光の反射の具合が異なり、平滑部１１２ｅでの外光の反射によってリング状領域Ａ２にリングの角を面取り（Ｃ面）したような質感を得ることができる。これにより、リング状意匠の立体感をさらに高めることができる。また、平滑部１１２ｅによって第一，第二の地色層１１２ｆ，１１２ｇの印刷ズレが認識されにくくなり、歩留まりが向上する。
また、リング状領域Ａ２において、基板１１２ａの表面には主目盛部１１４ａの意匠をなす凸部１１２ｂが設けられている。これにより、リング状領域Ａ２の表面に実際に立体的な変化が生じるためリング状意匠の立体感をさらに高めることができる。
【００３９】
以上のような作用及び効果は表示板１１２の以下の構成によって得ることができる。
本実施形態における表示板１１２は、透光性の基板１１２ａの表面に所定の第一の模様をなす第一の微細凹凸部１１２ｃが形成され、基板１１２ａの裏面に所定の第一の色調である第一の地色層１１２ｆが形成されてなる中央領域Ａ１と、
基板１１２ａの表面に前記第一の模様と異なる第二の模様をなす第二の微細凹凸部１１２ｄが形成され、基板１１２ａの裏面に前記第一の色調と異なる第二の色調である第二の地色層１１２ｇが形成されてなるリング状のリング状領域Ａ２と、を備えてなる計器用表示板である。
【００４０】
表示板１１２は、基板１１２ａの表面の第一の微細凹凸部１１２ｃと第二の微細凹凸部１１２ｄとの間に第一，第二の微細凹凸部１１２ｃ，１１２ｄよりも平滑である平滑部１１２ｅが設けられてなる。
【００４１】
表示板１１２は、リング状領域Ａ２において基板１１２ａの表面に所定の意匠をなす凸部１１２ｂが設けられてなる。
【００４２】
なお、本発明は、上記実施形態のほかに種々の変更（構成要素の削除を含む）が可能であることはもちろんである。図５は本発明の変形例を示す断面図である。変形例において、表示板１１２は圧空成形などによって立体成形されている。具体的には、リング状領域Ａ２が中央領域Ａ１に対して表側に突出するように形成されている。このように、表示板１１２は立体成形されるものであってもよい。これによれば、色調と微細凹凸の変化に加えて、表面の立体的な変化によってさらに立体感を高めることができる。また、この場合、平滑部１１２ｅを奥行き方向の位置が異なる中央領域Ａ１とリング状領域Ａ２とを繋ぐ境界部分としてもよい。これによれば、微細凹凸の変化と立体的な変化の切り替えがより強調され、リング状意匠の立体感をさらに高めることができる。
また、表示板１１２の中央に基板１１２ａの表面に第一，第二の微細凹凸部１１２ｃ，１１２ｄと異なる模様をなす第三の微細凹凸部が形成された第三の領域をさらに設けてもよい。このとき、基板１１２ａの表面の第一の微細凹凸部１１２ｃと前記第三の微細凹凸部との間に平滑部を設けてもよい、
また、本発明の計器用表示板を複数のアナログ表示部とデジタル表示部とを備えるコンビネーションメータに適用してもよい。このとき、第一の地色層及び第一の微細凹凸部が形成される第一の領域は、指針の回転中心を中心とした中央領域及びリング状の第二の領域の外側の領域であってもよい。
【産業上の利用可能性】
【００４３】
本発明は、計器用表示板に好適である。
【符号の説明】
【００４４】
１００  車両用計器
１１１  指針
１１２  表示板（計器用表示板）
１１２ａ  基板
１１２ｂ  凸部
１１２ｃ  第一の微細凹凸部
１１２ｄ  第二の微細凹凸部
１１２ｅ  平滑部
１１２ｆ  第一の地色層
１１２ｇ  第二の地色層
１１２ｈ  着色層
１１２ｉ  紫外線硬化樹脂層
１１２ｊ  第一の開口部
１１２ｋ  第二の開口部
１１４  指標部
１１４ａ  主目盛部
１１４ｂ  第一の副目盛部
１１４ｃ  第二の副目盛部
１１４ｄ  文字部
１１５  ピーク表示部
１１６  ワーニング表示部
１２０  ケース体
１３０  前面カバー
１４０  見返し部材
１５０  第一の光源
１６０  第二の光源
１７０  導光部材
１８０  拡散板
１９０  回路基板
Ａ１  中央領域（第一の領域）
Ａ２  リング状領域（第二の領域）
Ａ３  外縁領域
【図１】
0006597266.tif 000002
【図２】
0006597266.tif 000003
【図３】
0006597266.tif 000004
【図４】
0006597266.tif 000005
【図５】
0006597266.tif 000006